(57)【要約】 【課題】  確実にハンドオーバを行うことができる通信方法および移動機を提供することを目的とする。【解決手段】  移動通信端末１００に備えられているアンテナ１０２およびアンテナ１０３を用いてｅＮB２０１からデータを受信し、そのデータ受信中に、受信電力が低下したことを検出すると、ｅＮB２０２の通信方法を送信ダイバーシチによる送信方法に切り替える指示を行う。そして、ｅＮB２０１は、その指示に基づいて送信ダイバーシチによる送信を行い、移動通信端末１００が、送信されるデータを、アンテナ１０２のみを使用するシングル受信方法により受信する。そして、あいているアンテナ１０３を用いてセルサーチを行い、ハンドオーバ処理を行う。【選択図】  図３
2009141632.tif 000002
【特許請求の範囲】
【請求項１】
移動機と基地局との間の通信方法において、
前記移動機が、当該移動機に備えられている主アンテナおよび副アンテナを用いて一の基地局から信号を受信する第1の通信ステップと、
前記移動機が、前記第1の通信ステップによる信号受信中に、受信レベルが低下したことを検出する検出ステップと、
前記一の基地局が、前記検出ステップにより受信レベルが低下したことに応じて、送信ダイバーシチによる送信方法に切り替える通信方法切替ステップと、
前記一の基地局は、前記通信方法切替ステップによる切替にしたがって送信ダイバーシチによる送信を行う送信ステップと、
前記移動機が、前記送信ステップにより送信される信号を、前記主アンテナのみを使用するシングル受信方法により受信する第２の通信ステップと、
前記移動機が、前記第２の通信ステップにおいてシングル受信方法により受信しつつ、前記副アンテナを用いて、前記一の基地局とは異なる他の基地局をサーチするサーチステップと、
前記移動機が、前記一の基地局と通信を行いつつ、前記サーチステップによりサーチされた前記他の基地局との間で通信を行う第３の通信ステップと、
前記第３の通信ステップによる前記他の基地局との間で通信が行われた後に、前記一の基地局との通信回線の切断を行う切断ステップと、
前記移動機が、前記サーチステップによりサーチされた前記他の基地局のみから信号受信を行う第４の通信ステップと、
を備える通信方法。
【請求項２】
前記第1の通信ステップは、ＭＩＭＯ（Multiple-Input Multiple-Output）を用いて信号受信を行うことを特徴とする請求項１に記載の通信方法。
【請求項３】
前記第1の通信ステップは、受信ダイバーシチによる信号受信を行うことを特徴とする請求項１に記載の通信方法。
【請求項４】
前記第３の通信ステップにおいて、
前記他の基地局が、前記移動機に対して送信ダイバーシチによる送信を行うことを特徴とする請求項１から３のいずれか１項に記載の通信方法。
【請求項５】
前記第４の通信ステップにおいて、
前記他の基地局は、ＭＩＭＯ送信方法による送信を行うことを特徴とする請求項１から４のいずれか１項に記載の通信方法。
【請求項６】
前記第４の通信ステップにおいて、
前記他の基地局は、シングル送信方法による送信を行い、前記移動機は、前記他の基地局から受信ダイバーシチによる受信を行うことを特徴とする請求項１から４のいずれか１項に記載の通信方法。
【請求項７】
前記第４の通信ステップにおいて、
前記他の基地局は、ＨＳＤＰＡを用いたシングル送信方法による送信を行うことを特徴とする請求項６に記載の通信方法。
【請求項８】
前記第４通信ステップの処理に先立って、前記他の基地局が、ＭＩＭＯに対応していないか否か、ＨＳＤＰＡ(High Speed Downlink Packet Access)に対応しているか否かを判断する判断ステップと、を備え、
前記判断ステップにおいて、前記他の基地局が、ＭＩＭＯに対応していない、またはＨＳＤＰＡ(High Speed Downlink Packet Access)に対応していると判断する場合には、前記第４の通信ステップにおいて、前記他の基地局は、シングル送信方法で前記移動機に信号送信を行い、前記移動機は、前記他の基地局との間で主アンテナおよび副アンテナを用いた受信ダイバーシチにより信号受信を行い、
前記判断ステップにおいて、前記他の基地局が、ＭＩＭＯに対応していると判断する場合には、前記第4の通信ステップにおいて、前記他の基地局は、ＭＩＭＯ送信方法により前記移動機に信号送信を行うことを特徴とする請求項１〜７のいずれか１項に記載の通信方法。
【請求項９】
前記移動機が、前記他の基地局からの受信信号の受信レベルが所定値以上であることを判断する受信レベル判断ステップをさらに備え、
前記受信レベル判断ステップにおいて、受信レベルが所定値以上であると判断する場合には、
前記第４通信ステップにおいて、
前記他の基地局は、シングル送信方法による送信を行い、
前記移動機は、シングル受信方法による信号受信を行うことを特徴とする請求項１〜８のいずれか１項に記載の通信方法。
【請求項１０】
前記一の基地局と前記移動機との間で送受信される信号の周波数と、前記他の基地局と前記移動機とで送受信される信号の周波数とは異なっていることを特徴とする請求項１から９のいずれか１項に記載の通信方法。
【請求項１１】
前記第３の通信ステップにおいて、
前記一の基地局は、一の周波数を用いて前記移動機に信号を送信し、
前記他の基地局は、前記一の周波数とは異なる他の周波数を用いて前記移動機に前記一の基地局から送信される信号の情報とは異なる情報を含んだ信号を送信し、
前記移動機は、前記一の基地局と前記他の基地局とから、異なる情報を含んだ信号を受信するデュアル受信を行うことを特徴とする請求項１に記載の通信方法。
【請求項１２】
前記第３の通信ステップにおいて、
前記一の基地局は、一の周波数を用いて前記移動機に信号を送信し、
前記他の基地局は、前記一の周波数とは異なる他の周波数を用いて前記移動機に前記一の基地局から送信される信号の情報と同一の情報の信号を送信し、
前記移動機は、前記一の基地局と前記他の基地局とからダイバーシチ受信を行うことを特徴とする請求項１に記載の通信方法。
【請求項１３】
一の基地局から他の基地局にハンドオーバ処理を行う移動機において、
主アンテナおよび副アンテナの少なくともいずれか一方を用いて前記一の基地局および他の基地局から信号を受信する通信手段と、
前記通信手段による主アンテナおよび副アンテナを用いた信号受信中に、前記一の基地局からの受信信号の受信レベルが低下したことを検出する検出手段と、
前記検出手段により受信レベルが低下したことに応じて、一の基地局において送信ダイバーシチによる送信方法に切り替えるよう制御するとともに、前記一の基地局から送信ダイバーシチにより送信される信号を、前記主アンテナのみを使用するシングル受信方法により受信するよう前記通信手段を制御する切替制御手段と、
前記通信手段においてシングル受信方法により受信しつつ、前記副アンテナを用いて、前記他の基地局をサーチするサーチ手段と、
前記一の基地局と通信を行いつつ、前記サーチ手段によりサーチされた前記他の基地局との間で通信を行うとともに、前記他の基地局との間で通信が開始されると、前記一の基地局に対して、回線の切断を行うとともに、前記サーチ手段によりサーチされた他の基地局のみから信号受信を行うよう前記通信手段を制御するハンドオーバ制御手段と、
を備える移動機。
【発明の詳細な説明】
【技術分野】
【０００１】
本発明は、ハンドオーバ制御を行う通信方法および移動機に関する。
【背景技術】
【０００２】
携帯電話などの移動通信用端末には、複数のアンテナおよび受信系が搭載され、ＭＩＭＯ（Multiple- Input Multiple-Output）やＲｘ−Ｄｉｖ（受信ダイバーシチ）機能などにより、特に下り回線（基地局から移動局）における高速化や通信品質の改善が実現されている。そして、このような移動機は、ある基地局（ｅＮＢ：evolved Node B）のサービス領域（セル）端に移動した場合には受信電力が低下し、より受信電力の高い別の基地局をサーチするためには一旦回線を切断して再接続することにより、ハンドオーバ処理（ＨＯ：Hand Over）を行うように構成されている。
【０００３】
一方で、複数の受信系（アンテナ）を有し、1つの受信系（アンテナ）で通信を行いつつ、他方の受信系（アンテナ）を用いて高い受信電力を確保できる基地局をサーチすることにより、回線を切ることなくハンドオーバ処理を実現するノンコンプレストハンドオーバ技術が実現されている。例えば、特開２００６−９３８１３号公報（特許文献１）には、複数の送受信系（アンテナ）を、通信を実行する回線とサーチする回線とに割り当てる技術が記載されている。
【特許文献１】特開２００６−９３８１３号公報
【発明の開示】
【発明が解決しようとする課題】
【０００４】
しかしながら、上記従来技術を用いるには、以下に示すような問題があった。すなわち、ハンドオーバ処理を用いて通信を継続させるためには、片方の受信系（アンテナ）を使用することで、より受信電力の高い基地局をサーチする必要がある。しかし、セル端に移動して受信電力の低下した状態で片方の受信系（アンテナ）のみを使用して受信した場合には、ハンドオーバが完了する前に受信信号を確保できず、回線が切断される可能性がある。このため通信品質を確保した状態でのハンドオーバが実現されない可能性がある。
【０００５】
そこで、本発明は、上記問題を解決し、確実にハンドオーバを行うことができる通信方法および移動機を提供することを目的とする。
【課題を解決するための手段】
【０００６】
上述の課題を解決するために、本発明の通信方法は、移動機と基地局との間の通信方法において、前記移動機が、当該移動機に備えられている主アンテナおよび副アンテナを用いて一の基地局から信号を受信する第1の通信ステップと、前記移動機が、前記第1の通信ステップによる信号受信中に、受信レベルが低下したことを検出する検出ステップと、前記一の基地局が、前記検出ステップにより受信レベルが低下したことに応じて、送信ダイバーシチによる送信方法に切り替える通信方法切替ステップと、前記一の基地局は、前記通信方法切替ステップによる切替にしたがって送信ダイバーシチによる送信を行う送信ステップと、前記移動機が、前記送信ステップにより送信される信号を、前記主アンテナのみを使用するシングル受信方法により受信する第２の通信ステップと、前記移動機が、前記第２の通信ステップにおいてシングル受信方法により受信しつつ、前記副アンテナを用いて、前記一の基地局とは異なる他の基地局をサーチするサーチステップと、前記第３の通信ステップによる前記他の基地局との間で通信が行われた後に、前記移動機が、前記一の基地局との通信回線の切断を行う切断ステップと、前記移動機が、前記サーチステップによりサーチされた他の基地局から信号受信を行う第４の通信ステップと、を備えている。
【０００７】
この発明によれば、移動機に備えられている主アンテナおよび副アンテナを用いて一の基地局から信号を受信し、その信号受信中に、受信レベルが低下したことに伴って、一の基地局はその通信方法を送信ダイバーシチによる送信方法に切り替える。そして、一の基地局は、その切替にしたがって送信ダイバーシチによる送信を行い、移動機が、送信される信号を、主アンテナのみを使用するシングル受信方法により受信する。そして、シングル受信方法により受信しつつ、移動機は、副アンテナを用いて、一の基地局とは異なる他の基地局をサーチし、サーチされた他の基地局との間で通信を開始すると、一の基地局との通信回線の切断を行うとともに、サーチされた他の基地局から信号受信を行う。これにより、一の基地局から他の基地局に切り替える際に、通信品質の低下を低減することができる。
【０００８】
また、本発明の通信方法において、前記第1の通信ステップは、ＭＩＭＯ（Multiple-Input Multiple-Output）を用いて信号受信を行うことが好ましい。
【０００９】
また、本発明の通信方法において、前記第1の通信ステップは、受信ダイバーシチによる信号受信を行うことが好ましい。
【００１０】
また、本発明の通信方法の前記第３の通信ステップにおいて、前記他の基地局が、前記移動機に対して送信ダイバーシチによる送信を行うことが好ましい。これにより、一の基地局から他の基地局に切り替える際に、他の基地局においての通信品質の低減を防止することができる。
【００１１】
また、本発明の通信方法の前記第４の通信ステップにおいて、前記他の基地局は、ＭＩＭＯ送信方法による送信を行うことが好ましい。
【００１２】
また、本発明の通信方法の前記第４の通信ステップにおいて、前記他の基地局は、シングル送信方法による送信を行い、前記移動機は、前記他の基地局から受信ダイバーシチによる受信を行うことが好ましい。
【００１３】
また、本発明の通信方法の前記第４の通信ステップにおいて、前記他の基地局は、ＨＳＤＰＡを用いたシングル送信方法による送信を行うことが好ましい。
【００１４】
また、本発明の通信方法において、前記第４通信ステップの処理に先立って、前記他の基地局が、ＭＩＭＯに対応していないか否か、またはＨＳＤＰＡ(High Speed Downlink Packet Access)に対応しているか否かを判断する判断ステップと、を備え、前記判断ステップにおいて、前記他の基地局が、ＭＩＭＯに対応していない、またはＨＳＤＰＡ(High Speed Downlink Packet Access)に対応していると判断する場合には、前記第４の通信ステップにおいて、前記他の基地局は、シングル送信方法で前記移動機に信号送信を行い、前記移動機は、前記他の基地局との間で主アンテナおよび副アンテナを用いた受信ダイバーシチにより信号受信を行い、前記判断ステップにおいて、前記他の基地局が、ＭＩＭＯに対応していると判断する場合には、前記第4の通信ステップにおいて、前記他の基地局は、ＭＩＭＯ送信方法により前記移動機に信号送信を行うことが好ましい。
【００１５】
この発明によれば、他の基地局がＭＩＭＯに対応していない場合、またはＨＳＤＰＡに対応している場合には、他の基地局との間で受信ダイバーシチにより信号受信を行うことで、他の基地局の能力に応じた通信処理を行うことができ、確実な通信を実現することができる。
【００１６】
また、本発明の通信方法は、前記移動機が、前記他の基地局からの受信信号の受信レベルが所定値以上であることを判断する受信レベル判断ステップをさらに備え、前記受信レベル判断ステップにおいて、受信レベルが所定値以上であると判断する場合には、前記第４通信ステップにおいて、前記他の基地局は、シングル送信方法による送信を行い、前記移動機は、シングル受信方法による信号受信を行うことが好ましい。
【００１７】
この発明によれば、受信レベルが所定値以上の場合、他の基地局との間でシングル送受信方法による信号受信を行うことで、通信状況に応じた通信方法を適切に選択することができ、効率のよい通信を行うことができる。
【００１８】
また、本発明の通信方法は、前記一の基地局と前記移動機との間で送受信される信号の周波数と、前記他の基地局と前記移動機とで送受信される信号の周波数とは異なっていてもよい。
【００１９】
また、本発明の通信方法は、前記第３の通信ステップにおいて、前記一の基地局は、一の周波数を用いて前記移動機に信号を送信し、前記他の基地局は、前記一の周波数とは異なる他の周波数を用いて前記移動機に前記一の基地局から送信される信号の情報とは異なる情報を含んだ信号を送信し、前記移動機は、前記一の基地局と前記他の基地局とから、異なる情報を含んだ信号を受信するデュアル受信を行うことが好ましい。
【００２０】
この発明によれば、移動機は、一の基地局と他の基地局とから、同じ情報を含んだ信号を受信する周波数ダイバーシチを行うことで、通信品質を向上させることができる。
【００２１】
また、本発明の通信方法は、前記第３の通信ステップにおいて、前記一の基地局は、一の周波数を用いて前記移動機に信号を送信し、前記他の基地局は、前記一の周波数とは異なる他の周波数を用いて前記移動機に前記一の基地局から送信される信号の情報と同一情報の信号を送信し、前記移動機は、前記一の基地局と前記他の基地局とからダイバーシチ受信を行うことが好ましい。
【００２２】
この発明によれば、移動機は、一の基地局と他の基地局とからそれぞれ異なる情報を含んだ信号を受信し、受信した信号を合成することで、スループットを向上させることができる。
【００２３】
また、本発明は、移動機の発明として捉えることができる。すなわち、本発明の移動機は、一の基地局から他の基地局にハンドオーバ処理を行う移動機において、主アンテナおよび副アンテナの少なくともいずれか一方を用いて前記一の基地局および他の基地局から信号を受信する通信手段と、前記通信手段による主アンテナおよび副アンテナを用いた信号受信中に、前記一の基地局からの受信信号の受信レベルが低下したことを検出する検出手段と、前記検出手段により受信レベルが低下したことに応じて、一の基地局において送信ダイバーシチによる送信方法に切り替えるよう制御するとともに、前記一の基地局から送信ダイバーシチにより送信される信号を、前記主アンテナのみを使用するシングル受信方法により受信するよう前記通信手段を制御する切替制御手段と、前記通信手段においてシングル受信方法により受信しつつ、前記副アンテナを用いて、前記他の基地局をサーチするサーチ手段と、前記一の基地局と通信を行いつつ、前記サーチ手段によりサーチされた前記他の基地局との間で通信を行うとともに、前記他の基地局との間で通信が開始されると、前記一の基地局に対して、回線の切断を行うとともに、前記サーチ手段によりサーチされた他の基地局のみから信号受信を行うよう前記通信手段を制御するハンドオーバ制御手段と、を備えている。
【発明の効果】
【００２４】
本発明によれば、一の基地局から他の基地局に切り替える際に、通信品質の低下による通信不良を低減することができる。
【発明を実施するための最良の形態】
【００２５】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００２６】
まず、本実施形態に係る移動通信端末１００（移動機）の概略について説明する。図１は移動通信端末１００およびｅＮＢ２０１（２０２）の概略ブロック構成図である。この移動通信端末１００は、アンテナ１０２、アンテナ１０３、通信処理部１０４（通信手段）、通信処理部１０５（通信手段）、データ処理部１０６、データ処理部１０７、通信制御部１０８（電力測定部１０９（検出手段）、ＨＯ制御部１１０（サーチ手段、ハンドオーバ制御手段）、切替制御部１１１（切替制御手段））を含んで構成されている。この移動通信端末１００は、図２に示されるハードウェアにより実現されている。図２は、移動通信端末１００のハードウェア構成図である。図１に示される移動通信端末１００は、物理的には、図２に示すように、ＣＰＵ１１、主記憶装置であるＲＡＭ１２及びＲＯＭ１３、入力デバイスであるキーボード及びマウス等の入力装置１４、ディスプレイ及びスピーカ等の出力装置１５、ネットワークカード等のデータ送受信デバイスである通信モジュール１６ａ、１６ｂ、ハードディスク等の補助記憶装置１７などを含むコンピュータシステムとして構成されている。図１において説明した各機能は、図２に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６ａ、１６ｂを動作させるとともに、ＲＡＭ１２や補助記憶装置１７におけるデータの読み出し及び書き込みを行うことで実現される。以下、図１に示す機能ブロックに基づいて、各機能ブロックを説明する。
【００２７】
アンテナ１０２は主信号系の送受信アンテナであり、アンテナ１０３は副信号系の送受信アンテナである。それぞれのアンテナは、主信号系の通信情報、副信号系の通信情報を送受信することができる。なお、アンテナ１０２が主信号系、アンテナ１０３が副信号系として固定されて備えられているわけではなく、その時々の通信状態に応じて相互に変わるものであって、例えば、アンテナ１０２が副信号系、アンテナ１０３が主信号系となってもよい。また、２アンテナは３本以上あってもよく、その場合、主信号系のアンテナ以外のどれか一つがここでの副信号系のアンテナとして機能するように構成されてもよい。
【００２８】
通信処理部１０４は、アンテナ１０２により受信された主信号系の通信情報を処理する無線（ＲＦ）回路およびベースバンド（ＢＢ）処理を実行する処理部からなる部分である。この通信処理部１０４は、ＭＩＭＯ通信方法、Ｒｘ−Ｄｉｖ受信方法、またはシングル受信方法により、アンテナ１０２で受信された主信号系の通信情報に対する信号処理を行い、処理した通信情報をデータ処理部１０６に伝送する。
【００２９】
通信処理部１０５は、副信号系の通信情報を処理する通信処理部であって、通信処理部１０４と同様に、ＲＦ回路および処理部からなる。
【００３０】
データ処理部１０６は、主信号系のＢＢ信号を音声やデータに変換する部分である。このデータ処理部１０６は、伝送された通信情報を音声や文字を含む各種データに変換する。
【００３１】
データ処理部１０７は、副信号系のデータ処理部を示し、データ処理部１０６と同様に、副信号系のＢＢ信号を音声やデータに変換する部分である。
【００３２】
通信制御部１０８は、基地局（ｅＮＢ２０１、２０２）の通信方式を認識するとともに、その通信方式に従った通信を行うための各種制御を行う部分であり、電力測定部１０９、ＨＯ制御部１１０、切替制御部１１１を含んでいる。電力測定部１０９は、通信処理部１０４および通信処理部１０５において処理された信号の受信電力を測定する部分である。この電力測定部１０９は、通信品質を監視するために、受信電力の強度に応じて送信電力の制御などを行うため、ＨＯ制御部１１０および切替制御部１１１に、ｅＮＢ２０１からの受信信号の受信電力が所定値以下になったことを通知する。なお、この電力測定部１０９は、受信電力にかえて、いわゆる受信レベルを測定するものであればよく、例えば、受信レベルとして、受信電力、受信電界強度、Ｓ／Ｎなどを測定するようにしてもよい。
【００３３】
ＨＯ制御部１１０は、ハンドオーバ処理のための各種制御を行う部分である。このＨＯ制御部１１０は、電力測定部１０９において観測された、ｅＮＢ２０１からの受信信号の受信電力が所定値以下に低下した旨が、電力測定部１０９から通知されると、ｅＮＢ２０１に対して受信電力が所定値以下になった旨を通知する制御、通信処理部１０５を用いて他の基地局であるｅＮＢ２０２をサーチするためのハンドオーバ制御、ハンドオーバ処理に伴う切替元の基地局であるｅＮＢ２０１に対して回線切断を示す制御信号の送信制御、切替先の基地局であるｅＮＢ２０２に対する通信開始制御、および切替制御部１１１に対する制御を行う。
【００３４】
また、切替制御部１１１は、通信処理部１０４または通信処理部１０５に対してＭＩＭＯ通信方法、Ｒｘ−Ｄｉｖ受信方法（受信ダイバーシチ）、またはシングル受信方法を切替える部分であり、通信処理部１０４および通信処理部１０５に対して、いずれか一方、または両方を使用することができるように切替制御を行う部分である。この切替制御部１１１は、基地局（ｅＮＢ２０１）から通信方法の切替指示（制御信号）を受けると、通信系（主信号系および副信号系）および通信方法（ＭＩＭＯ、Ｔｘ−Ｄｉｖ（送信ダイバーシチ）、Ｒｘ−Ｄｉｖ（受信ダイバーシチ）およびシングル受信）の切替制御を行う。より具体的には、切替制御部１１１は、基地局（ｅＮＢ２０１）から通信方法の切替指示（制御信号）を受けると、ＭＩＭＯ通信からシングル受信に切り替える処理を行う部分である。
【００３５】
また、切替制御部１１１は、ＭＩＭＯ通信方法からシングル受信方法に切り替わった後、ＨＯ制御部１１０によるサーチによりｅＮＢ２０２が検出され、ＨＯ制御部１１０により、切替制御のための制御信号の送受信の後に当該ｅＮＢ２０２から、シングル受信方法からＭＩＭＯ通信方法に切り替えることを示す切替制御信号が受信されると、ＭＩＭＯ受信方法に切り替える処理を行う。
【００３６】
また、通信処理部１０４および通信処理部１０５がＲｘ−Ｄｉｖ受信方法による通信を行っている場合に、電力測定部１０９により電力低下が検知されると、ＨＯ制御部１１０がｅＮＢ２０１に電力低下の旨を通知し、この通知に応答してｅＮＢ２０１から送信された、Ｒｘ−Ｄｉｖ受信方法からシングル受信方法に切り替えることを示す制御信号をＨＯ制御部１１０が受信する。この制御信号を受信すると、切替制御部１１１は、Ｒｘ−Ｄｉｖ受信方法からシングル受信方法に切り替えるよう通信処理部１０４、１０５に対する切替制御を行う。また、切替制御部１１１は、上述の切替制御を行うとともに、ＨＯ制御部１１０に対してセルサーチを行うよう指示を出力する。ＨＯ制御部１１０は、この指示に従ってセルサーチを行う。
【００３７】
また、切替制御部１１１は、Ｒｘ−Ｄｉｖ受信方法からシングル受信方法に切り替わった後、ＨＯ制御部１１０によるサーチによりｅＮＢ２０２が検出され、ＨＯ制御部１１０により、当該ｅＮＢ２０２との間で切替のための制御信号の送受信の後、ｅＮＢ２０２から、シングル受信方法からＲｘ−Ｄｉｖ受信方法に切り替えることを示す切替制御信号が受信されると、Ｒｘ−Ｄｉｖ受信方法に切り替える処理を行う。
【００３８】
説明の便宜上、通信処理部と通信制御部は分けて記載しているが、通信制御部の機能は通信処理に含まれる場合もある。また、主信号系の通信処理部１０４と副信号系の通信処理部１０５および主信号系のデータ処理部１０６と副信号系のデータ処理部１０７とは分離して記載しているが、１つに集約されている場合もある。
【００３９】
つぎに、ｅＮＢ２０１（２０２）について説明する。ｅＮＢ２０１（２０２）は基地局であって、複数のアンテナを用いて移動通信端末１００に対して信号の送受信を行うものである。アンテナ、メモリ、通信処理回路などのハードウェアから構成されており、アンテナで受信した信号を通信処理回路において処理するよう構成されている。以下、図１に基づいて説明する。
【００４０】
ｅＮＢ２０１（２０２）は、切替部２１１、通信処理部２１２、通信処理部２１３、アンテナ２１４、アンテナ２１５から構成されている。
【００４１】
切替部２１１は、通信処理部２１２（アンテナ２１４）、通信処理部２１３（アンテナ２１５）を用いて通信方法を切り替える部分であり、例えば、ＭＩＭＯ送信方法、Ｔｘ−Ｄｉｖ送信方法、１本のアンテナのみを使用するシングル送信方法などを切り替える。また、移動通信端末１００から電力低下の旨の信号を受信すると、移動通信端末１００に対して、現状の通信方法（例えばＭＩＭＯ通信方法、またはＲｘ−Ｄｉｖ受信方法）からシングル受信方法に切り替えることを示す切替制御信号を送信する。
【００４２】
また、切替部２１１は、移動通信端末１００との間において、ハンドオーバ処理において新たな接続先としての通信が開始されると、Ｔｘ−Ｄｉｖ送信処理を行うよう切り替える。さらに、Ｔｘ−Ｄｉｖ送信方法に切り替わったときに、ＭＩＭＯ通信のための準備処理が終了すると（すなわち、移動通信端末１００との間で切替のための制御信号の送受信が行われると）、Ｔｘ−Ｄｉｖ送信方法からＭＩＭＯ送信方法に切り替えるとともに、移動通信端末１００に対してシングル受信方法からＭＩＭＯ受信方法に切り替えることを示す切替制御信号を送信する。
【００４３】
また、切替部２１１は、Ｔｘ−Ｄｉｖ送信方法を行った後に、ＭＩＭＯ送信方法ができない場合には、シングル送信方法による送信処理を行うとともに、移動通信端末１００に対してシングル受信方法からＲｘ−Ｄｉｖ受信方法に切り替えることを示す切替制御信号を送信する。この場合、通信品質を向上させることができる。なお、受信電力が所定値以上である場合には、シングル受信方法を保持すべく、上述切替のための切替制御信号を送信しないようにしてもよい。
【００４４】
通信処理部２１２および２１３は、切替部２１１による制御にしたがって、それぞれアンテナ２１４および２１５を用いて信号の送受信を移動通信端末１００に対して行う部分である。なお、ここではアンテナは２本あることにしているが、２本以上であってもよい。
【００４５】
つぎに、本実施形態に係るＭＩＭＯおよび受信ダイバーシチのハンドオーバ制御の実施フローについて説明する。図３は、ＭＩＭＯ通信状態においてハンドオーバ制御を行う移動通信端末１００の処理を示すフローチャートである。ここでは、ｅＮＢ２０１またはｅＮＢ２０２から移動通信端末１００に対してデータが送信されているときの処理が示されている。
【００４６】
ｅＮＢ２０１と移動通信端末１００（ＭＢ）との間においてＭＩＭＯ通信が実行されている（Ｓ１：第１の通信ステップ）。移動通信端末１００がｅＮＢ２０１から遠方に移動し、受信信号の受信電力が低下したこと、通信品質が低下したこと、あるいはスループットが低下したことが電力測定部１０９により検知される（Ｓ２：検出ステップ）。受信電力の低下が検知されると、ＨＯ制御部１１０によりその旨が移動通信端末１００からｅＮＢ２０１に通知される。これに応じてｅＮＢ２０１から通信方法の切替を指示するための制御信号が移動通信端末１００に送信される。（Ｓ３：通信方法切替ステップ）。なお、移動通信端末１００から直接切替のための制御信号がｅＮＢ２０１に送信されるようにしてもよい。
【００４７】
ｅＮＢ２０１において、移動通信端末１００から電力低下の通知を受けると、その通信方法がＭＩＭＯ通信方法からＴｘ−Ｄｉｖ送信方法に切り替えられ、ｅＮＢ２０１から移動通信端末１００に対して、Ｔｘ−Ｄｉｖによるデータ送信が行われる（Ｓ４：送信ステップ）。このように、送信側であるｅＮＢ２０１において、データ送信のモードがＴｘ−Ｄｉｖ送信方法に切り替えられるため、通信品質の低下を招くことなく、より確実な通信を行うことができる。
【００４８】
一方、移動通信端末１００において、切替制御部１１１により、ｅＮＢ２０１との間の通信は、通信処理部１０４のみにより行われるようシングル受信方法に切り替えられる（Ｓ５：第２の通信ステップ）。そして、ＨＯ制御部１１０により、副受信系の通信処理部１０５を用いたセルサーチが行われる（Ｓ６：サーチステップ）。ここでは、通信処理部１０４（主回線：主受信系）と異なるＲＦシンセサイザを用いる手法あるいはＤＥＭに実装されるＦＦＴ又はＤＦＴ後のスペクトラム情報を観測する手法を、移動通信端末１００の通信処理部１０５（副回線（副受信系）に対する処理）および電力測定部１０９が用いることにより、通信処理部１０４において受信される受信信号（主回線）より受信電力レベルの高い回線が、ＨＯ制御部１１０によりサーチされる。このようにして、ＨＯ制御部１１０により、受信電力の強い（受信電力が所定値以上の）ｅＮＢ２０２がサーチされ、検知される（Ｓ７）。
【００４９】
そして、ｅＮＢ２０１と通信処理部１０４との間で、Ｔｘ−Ｄｉｖ送信による通信が実行されている間、通信処理部１０５とｅＮＢ２０２との通信のため前手順処理が実行される（Ｓ８）。この前手順処理にしたがって、ｅＮＢ２０２においては、自動的にＴｘ−Ｄｉｖ送信方法に切り替えられ、Ｔｘ−Ｄｉｖ送信方法による通信が実行される（Ｓ９：第３の通信ステップ）。
【００５０】
Ｓ９において処理されるＴｘ−Ｄｉｖ送信方法による通信が行われながら、移動通信端末１００においては、シングル受信方法からＭＩＭＯ受信方法に切り替えるための制御信号の送受信処理が実行される（Ｓ１０）。
【００５１】
また、ｅＮＢ２０２において、ＭＩＭＯ送信機能を備えているか否かを判断する判断ステップを備え、当該機能を備えていないと判断する場合、ｅＮＢ２０２は、ＭＩＭＯ送信機能が無い旨を移動通信端末１００に通知する（切替信号の送信に相当）とともに、Ｔｘ−Ｄｉｖ送信方法のままにするか、またはＴｘ−Ｄｉｖ送信方法からシングル送信方法に切り替える。移動通信端末１００では、その通知に基づいて切替制御は行わないように動作するか、またはＲｘ−Ｄｉｖによる受信方法に切り替える。
【００５２】
ここで、Ｓ１０における準備処理が終了し、移動通信端末１００とｅＮＢ２０２との間でＭＩＭＯ通信に移行できる状態になると、ＨＯ制御部１１０により、移動通信端末１００からｅＮＢ２０１に対して通信処理部１０４による通信を切断するための制御信号が送信される（Ｓ１１）。そして、ｅＮＢ２０１では、移動通信端末１００との通信が切断される（Ｓ１３：切断ステップ）。なお、必ずしも移動通信端末１００から切断信号を送信するわけではなく、基地局（ｅＮＢ）が移動通信端末１００に対して切断信号を送信する場合もありえる。例えば、移動通信端末１００が他の基地局であるｅＮＢ２０２と通信を始めたときに、ｅＮＢ２０２からＮＷ（Net Work）経由で一の基地局であるｅＮＢ２０１へ切断信号を送り、ｅＮＢ２０１が回線を切断することも可能である。これ以降に説明される切断処理についても同様にｅＮＢ２０１から切断信号が送信される場合を含む。
【００５３】
一方、移動通信端末１００においては、Ｔｘ−Ｄｉｖ送信方法からＭＩＭＯ送信方法に切り替えるための切替制御信号およびその応答を送受信し（Ｓ１２）、切替制御部１１１により、通信処理部１０５のみを用いるシングル受信方法から、通信処理部１０４および通信処理部１０５を用いたＭＩＭＯ通信（受信）方法に切り替えられる（Ｓ１４）。さらに、ｅＮＢ２０２においては、上述切替制御信号を送受信し（Ｓ１２）、切替部２１１によりＴｘ−Ｄｉｖ送信方法からＭＩＭＯ送信方法に切り替えられる（Ｓ１５）。そして、移動通信端末１００とｅＮＢ２０２との間ではＭＩＭＯ通信方法によるデータの送受信が行われる（Ｓ１６：第４の通信ステップ）。
【００５４】
つぎに、本実施形態に係るハンドオーバ制御の状態遷移について説明する。ここでは、移動通信端末１００においてＭＩＭＯ受信を実施している状態からハンドオーバ制御後にＭＩＭＯ受信を再開させる動作を示す。図４は、移動通信端末１００とｅＮＢ２０１およびｅＮＢ２０２との通信状況の遷移を示す模式図である。
【００５５】
図４（ａ）では、移動通信端末１００（ＭＢ）は、ｅＮＢ２０１とＭＩＭＯ通信を行っていることを示している。図４（ｂ）では、移動通信端末１００はＭＩＭＯ通信により高速データ通信を行いつつ、ｅＮＢ２０１の通信エリアの端に移動したことにより、移動通信端末１００の受信電力が低下している状態を示している。図４（ｃ）では、移動通信端末１００からｅＮＢ２０１に対してＭＩＭＯ通信方法からＴｘ−Ｄｉｖ送信方法に切り替えるための制御信号が送信される。
【００５６】
図４（ｄ）では、ｅＮＢ２０１は、Ｔｘ−Ｄｉｖ送信方法に切り替わり、移動通信端末１００はシングル受信方法に切り替わっている状態を示している。図４（ｅ）では、移動通信端末１００は、ｅＮＢ２０２をサーチし、検知する状態を示している。
【００５７】
図４（ｆ）では、ｅＮＢ２０２においてＴｘ−Ｄｉｖ送信方法が開始されている状態を示している。ここで、移動通信端末１００での受信電力が十分高い場合には、ｅＮＢ２０２におけるＴｘ−Ｄｉｖ送信方法を行わないようにすることも可能である。図４（ｇ）では、移動通信端末１００、ｅＮＢ２０１、ｅＮＢ２０２のそれぞれの間で切り替えるための制御信号が送受信される状態を示している。図４（ｈ）では、移動通信端末１００は、ｅＮＢ２０１との通信を断とし、ｅＮＢ２０２との間でＭＩＭＯ通信による通信を行う状態を示している。
【００５８】
図４の遷移図からも明らかなように、移動通信端末１００は、ｅＮＢ２０１からｅＮＢ２０２へその通信形態を遷移させていくことにより、ハンドオーバを行うことができるとともに、ｅＮＢ２０１の送信方法をＭＩＭＯ送信方法からＴｘ−Ｄｉｖ通信方法に遷移させることにより通信品質の低下を軽減することができ、より確実なハンドオーバを実現することができる。なお、ＭＩＭＯ通信からハンドオーバ後に、基地局側はシングル送信、移動端末は受信ダイバーシチを用いる通信方式に変更する場合も同様に行うことができる。
【００５９】
つぎに、移動通信端末１００がＨＳＤＰＡ(High Speed Down Link Access)を用いてＲｘ−Ｄｉｖ受信で高速通信する場合において、ハンドオーバ処理を行うときの処理について説明する。図５は、Ｒｘ−Ｄｉｖ受信状態においてハンドオーバ制御を行うときの移動通信端末１００の動作を示すフローチャートである。
【００６０】
移動通信端末１００（図５におけるＭＢ）では、ＨＳＤＰＡを用いたＲｘ−Ｄｉｖ受信を実施している（Ｓ１ａ）。このような通信中に、ｅＮＢ２０１のセル端に移動したことにより受信電力が低下する、あるいは通信品質が低下することが電力測定部１０９により検出される（Ｓ２ａ）。受信電力の低下が検知されると、ＨＯ制御部１１０によりその旨が移動通信端末１００からｅＮＢ２０１に通知される。これに応じてｅＮＢ２０１から通信方法の切替を指示するための制御信号が移動通信端末１００に送信される（Ｓ３）。なお、移動通信端末１００から直接切替のための制御信号がｅＮＢ２０１に送信されるようにしてもよい。
【００６１】
ｅＮＢ２０１では、電力低下の旨の通知を受けると、シングル送信方法からＴｘ−Ｄｉｖ送信方法に切り替え、Ｔｘ−Ｄｉｖ送信方法が開始される（Ｓ４）。
【００６２】
Ｔｘ−Ｄｉｖ送信開始が確認された段階で移動通信端末１００では通信処理部１０５を用いた副回線による通信処理を停止し、通信処理部１０４を用いた主回線によるシングル受信を開始する（Ｓ５）。そして、ＨＯ制御部１１０により、副受信系の通信処理部１０５を用いたセルサーチが行われる（Ｓ６：サーチステップ）。ここでは通信処理部１０４による主回線と異なるＲＦシンセサイザを用いる手法あるいはＤＥＭに実装されるＦＦＴ又はＤＦＴ後のスペクトラム情報を観測する手法が用いられ、主回線より受信電力レベルの高い回線（基地局）がサーチされる。ここでは、ＨＯ制御部１１０により、ｅＮＢ２０１より受信電力レベルの高い基地局であるｅＮＢ２０２が検知される（Ｓ７）。
【００６３】
移動通信端末１００の通信処理部１０５では、ｅＮＢ２０２との通信のため前手順処理が実行される（Ｓ８）。ｅＮＢ２０２では必要に応じてＴｘ−Ｄｉｖ送信方法を開始し、移動通信端末１００における受信電力を補償する（Ｓ９）。ここで、移動通信端末１００での受信電力が十分高い場合には、Ｔｘ−Ｄｉｖ送信を行わないことも可能である。
【００６４】
Ｓ９において処理されるＴｘ−Ｄｉｖ送信方法による通信が行われながら、シングル受信方法からＲｘ−Ｄｉｖ受信方法に切り替えるための制御信号の送受信処理が実行される（Ｓ１０）。
【００６５】
そして、Ｓ１０における準備処理が終了し、移動通信端末１００とｅＮＢ２０２との間でＲｘ−Ｄｉｖ受信処理に移行できる状態になると、ＨＯ制御部１１０により、移動通信端末１００からｅＮＢ２０１に対して通信処理部１０４による通信を切断するための制御信号が送信される（Ｓ１１）。そして、ｅＮＢ２０１では、通信が切断され（Ｓ１３）、一方、移動通信端末１００とｅＮＢ２０２との間では、切替のための切替制御信号およびその応答が送受信され（Ｓ１２）、移動通信端末１００では、シングル受信方法からＲｘ−Ｄｉｖ受信方法に、ｅＮＢ２０２では、Ｔｘ−Ｄｉｖ送信方法からシングル送信方法に切り替えられる（Ｓ１４ａ、１５ａ）。そして、移動通信端末１００では、Ｒｘ−Ｄｉｖ受信が行われる（Ｓ１６ａ）。
【００６６】
なお、Ｓ８またはＳ１０において、ｅＮＢ２０２がその通信能力としてＨＳＤＰＡ通信を行うことができると判断するステップ（判断ステップ）をさらに備え、そのように判断できる場合には、他の基地局はシングル送信方法に切り替えるとともに、移動通信端末１００に対してＲｘ−Ｄｉｖ受信方法に切り替えることを示す制御信号、または通常のシングル受信方法のままで受信処理を行うことを示す制御信号を送信してもよい。また、Ｓ１４ａにおいて、移動通信端末１００は、ｅＮＢ２０２からの受信信号の受信レベルが所定値以上であることを判断するステップ（受信レベル判断ステップ）をさらに備え、その受信電力が所定値以上であると判断する場合には、Ｒｘ−Ｄｉｖ受信方法に切り替えることなく、シングル受信方法で受信処理をしてもよい。また、ＨＳＤＰＡ通信に限らず、ｅＮＢ２０１との通信において、通信品質を補償するためにＲｘ−Ｄｉｖ受信方式を用いていた場合についても、同様の制御により通信品質を低下させることなくハンドオーバ制御が可能となる。
【００６７】
つぎに、本実施形態の変形例である、ｅＮＢ２０１からのデータ受信と、ｅＮＢ２０２からのデータ受信とで使用する周波数を変えてハンドオーバ処理を行う移動通信端末１００の処理について説明する。図６は、ＭＩＭＯ通信状態において、ハンドオーバ元とハンドオーバ先とにおいて、使用する周波数を変えて通信を行う移動通信端末１００の処理を示すフローチャートである。この場合、移動通信端末１００における切替制御部１１１は、さらにデュアル受信方法を切り替え対象として切替制御を行うことができる。同様に、ｅＮＢ２０１、２０２においても切替部２１１は、さらにデュアル受信方法に対応した送信方法を切り替え対象として切替制御を行うことができる。
【００６８】
ｅＮＢ２０１と移動通信端末１００（ＭＢ）との間において、周波数ｆｘ１を用いてＭＩＭＯ通信が実行されている（Ｓ１）。移動通信端末１００がｅＮＢ２０１から遠方に移動し、受信電力が低下したこと、あるいはスループットが低下したことが電力測定部１０９により検知される（Ｓ２）。受信電力の低下が検知されると、ＨＯ制御部１１０によりその旨が移動通信端末１００からｅＮＢ２０１に通知される。これに応じてｅＮＢ２０１から通信方法の切替を指示するための制御信号が移動通信端末１００に送信される（Ｓ３）。
【００６９】
ｅＮＢ２０１において、移動通信端末１００から受信信号の電力低下の通知を受けると、その通信方法がＭＩＭＯ通信方法からＴｘ−Ｄｉｖ送信方法に切り替えられ、ｅＮＢ２０１から移動通信端末１００に対して、Ｔｘ−Ｄｉｖによるデータ送信が行われる（Ｓ４ａ）。このように、送信側であるｅＮＢ２０１において、データ送信のモードがＴｘ−Ｄｉｖ送信に切り替えられるため、通信品質の低下を招くことなく、より確実な通信を行うことができる。
【００７０】
一方、移動通信端末１００において、切替制御部１１１により、ｅＮＢ２０１との間の通信は、通信処理部１０４のみにより行われるようシングル受信方法に切り替えられ、周波数ｆｘ１の受信信号を受信する（Ｓ５ａ）。そして、ＨＯ制御部１１０により、副受信系の通信処理部１０５を用いたセルサーチが行われる（Ｓ６）。ここでは、通信処理部１０４（主回線）と異なるＲＦシンセサイザを用いる手法あるいはＤＥＭに実装されるＦＦＴ又はＤＦＴ後のスペクトラム情報を観測する手法を、移動通信端末１００の通信処理部１０５（副回線に対する処理）および電力測定部１０９が用いることにより、通信処理部１０４において受信される受信信号（主回線）より受信電力レベルの高い回線が、ＨＯ制御部１１０によりサーチされる。このようにして、ＨＯ制御部１１０により、受信電力の強い信号を出力するｅＮＢ２０２がサーチされ、検知される（Ｓ７）。
【００７１】
そして、ｅＮＢ２０１と通信処理部１０４との間で、Ｔｘ−Ｄｉｖ送信による通信が実行されている間、移動通信端末１００は、サーチした周波数ｆｘ２を用いて通信処理部１０５とｅＮＢ２０２との通信のため前手順処理が実行される（Ｓ８）。そして、この前手順処理にしたがって、ｅＮＢ２０２においては、切替部２１１により移動通信端末１００での周波数ｆｘ２を用いたデュアル受信方法（ここでは２つのアンテナで受信するデータが異なる受信方法）にて対応可能な送信方法に切り替えられ（例えば、送信するデータ内容が、ｅＮＢ２０１とｅＮＢ２０２とで異なるように割り当てられて）、当該送信方法による通信が実行される（Ｓ９ａ）。このように、移動通信端末１００において受信信号に用いられる周波数ｆｘ１、ｆｘ２の２つを用い、その周波数に含まれているデータの内容を重複しないようにすることで、そのスループットを理想的には２倍に増加させることができ、ハンドオーバ制御中におけるスループットの低下を最小限に抑えることが可能となる。なお、ここではｆｘ１とｆｘ２は異なる周波数として説明しているが、同じ周波数を用いた場合もスループットの低下を最小限に抑える効果を得ることが可能となる。
【００７２】
一方、移動通信端末１００では、セルサーチによりｅＮＢ２０２が検知され、通信が開始されると、デュアル受信方法に切り替えられる（Ｓ９ｂ）。この際、アンテナ１０２が周波数ｆｘ１の信号を、アンテナ１０３が周波数ｆｘ２の信号を、それぞれ受信し処理できるよう通信処理部１０４、通信処理部１０５が動作する。
【００７３】
上述の、Ｓ８、Ｓ９ａ、Ｓ９ｂの処理と並行して、デュアル受信方法からＭＩＭＯ受信方法に切り替えるための制御信号の送受信が実行される（Ｓ１０）。なお、ｅＮＢ２０２において、ＭＩＭＯ送信機能を備えていない場合（ＨＳＤＰＡに対応している場合を含む）、ｅＮＢ２０２は、周波数ｆｘ２を用いたシングル送信方法を行うとともに、移動通信端末１００においては、周波数ｆｘ２を用いたシングル受信方法に切り替えるための切替制御信号を送信する。そして、ｅＮＢ２０２は、シングル送信方法による送信処理を行うとともに、移動通信端末１００においては上述制御信号に従って周波数ｆｘ２を用いたシングル受信方法もしくは受信ダイバーシチによる受信処理を行う。
【００７４】
ここで、Ｓ１２における準備処理が終了し、移動通信端末１００とｅＮＢ２０２との間でＭＩＭＯ通信処理に移行できる状態になると、ＨＯ制御部１１０により、移動通信端末１００からｅＮＢ２０１に対して通信処理部１０４による通信を切断するための制御信号が送信される（Ｓ１１）。そして、ｅＮＢ２０１では、移動通信端末１００との通信が切断される（Ｓ１３）。
【００７５】
一方、移動通信端末１００においては、デュアル受信方法に対応可能な送信方法からＭＩＭＯ送信方法に切り替えるための切替制御信号およびその応答を送受信し（Ｓ１２）、切替制御部１１１により、通信処理部１０４および通信処理部１０５の両方で異なる周波数を用いるデュアル受信方法から、通信処理部１０４および通信処理部１０５において周波数ｆｘ２を用いたＭＩＭＯ受信方法に切り替えられる（Ｓ１４）。さらに、ｅＮＢ２０２においては、上述切替制御信号を送受信し（Ｓ１２）、デュアル受信方法に対応可能な送信方法からＭＩＭＯ送信方法に切り替えられる（Ｓ１５）。そして、移動通信端末１００とｅＮＢ２０２との間ではＭＩＭＯ通信方法によるデータの送受信が行われる（Ｓ１６）。
【００７６】
さらに、変形例について説明する。図7は、Ｒｘ−Ｄｉｖ受信状態において、ハンドオーバ元とハンドオーバ先とで使用する周波数を変えて通信を行うときの移動通信端末１００の処理を示すフローチャートである。
【００７７】
移動通信端末１００とｅＮＢ２０１との間で、移動通信端末１００において周波数ｆｘ１を用いたＲｘ−Ｄｉｖ受信の実行（Ｓ１ａ）、受信電力等の検出（Ｓ２ａ）、通信方法の切替のための制御信号の通信（Ｓ３）が実行される。そして、ｅＮＢ２０１では、周波数ｆｘ１を用いたＴｘ−Ｄｉｖ送信方法に切り替えられ（Ｓ４ａ）、移動通信端末１００では、主信号系のアンテナ１０２を用いたシングル受信方法への切替（Ｓ５ａ）、副信号系のアンテナ１０３を用いたセルサーチ（Ｓ６）、ｅＮＢ２０２の検出（Ｓ７）が行われる。
【００７８】
そして、ｅＮＢ２０１と通信処理部１０４との間で、Ｔｘ−Ｄｉｖ送信による通信が実行されている間、移動通信端末１００は、サーチした周波数ｆｘ２を用いて通信処理部１０５とｅＮＢ２０２との通信のため前手順処理が実行される（Ｓ８）。そして、この前手順処理にしたがって、ｅＮＢ２０２においては、移動通信端末１００での周波数ｆｘ２を用いたＴｘ−Ｄｉｖ送信方法に切り替えられ、当該送信方法による通信が実行される（Ｓ９）。
【００７９】
移動通信端末１００では、セルサーチによりｅＮＢ２０２が検知され、ｅＮＢ２０１およびｅＮＢ２０２からＴｘ−Ｄｉｖ送信方法でそれぞれ異なる周波数で送信された受信信号が受信される。アンテナ１０２が周波数ｆｘ１の信号を、アンテナ１０３が周波数ｆｘ２の信号を、それぞれ受信し処理できるよう通信処理部１０４、通信処理部１０５が動作する。ここではアンテナ１０２およびアンテナ１０３がそれぞれ周波数ｆｘ１、ｆｘ２の信号を受信し、通信処理部１０４、１０５内の処理部においてＢＢ処理された信号が合成される（Ｓ９ｃ）。つまり、受信品質を改善するために、それぞれの基地局から送信される受信信号は同じ情報を含んだものとし、それぞれ欠落している部分を相互に補償するために合成処理が行われる。
【００８０】
上述の、Ｓ８、Ｓ９、Ｓ９ｃの処理と並行して、シングル受信方法からＲｘ−Ｄｉｖ受信方法に切り替えるための制御信号の送受信処理が実行される（Ｓ１０）。
【００８１】
ここで、Ｒｘ−Ｄｉｖ受信処理に移行できる状態になると、ＨＯ制御部１１０により、移動通信端末１００からｅＮＢ２０１に対して通信処理部１０４による通信を切断するための制御信号が送信される（Ｓ１１）。そして、ｅＮＢ２０１では、移動通信端末１００との通信が切断される（Ｓ１３）。
【００８２】
一方、移動通信端末１００においては、Ｒｘ−Ｄｉｖ受信方法に切り替えるための切替制御信号およびその応答を送受信し（Ｓ１２）、切替制御部１１１により、通信処理部１０５のみを用いるシングル受信方法から、通信処理部１０４および通信処理部１０５において周波数ｆｘ２を用いたＲｘ−Ｄｉｖ受信方法に切り替えられる（Ｓ１４ａ）。さらに、ｅＮＢ２０２においては、上述切替制御信号を送受信し（Ｓ１２）、Ｔｘ−Ｄｉｖ送信方法からシングル送信方法に切り替えられる（Ｓ１５ａ）。そして、移動通信端末１００とｅＮＢ２０２との間ではＲｘ−Ｄｉｖ受信方法によるデータの受信が行われる（Ｓ１６ａ）。
【００８３】
なお、Ｓ８またはＳ１０において、ｅＮＢ２０２がその通信能力としてＨＳＤＰＡ通信を行うことができると判断できる場合には、他の基地局であるｅＮＢ２０２はシングル送信方法に切り替えるとともに、移動通信端末１００に対してＲｘ−Ｄｉｖ受信方法に切り替えることを示す制御信号、または通常のシングル受信方法のままで受信処理を行うことを示す制御信号を送信してもよい。また、Ｓ１４ａにおいて、移動通信端１００の受信電力が所定値以上である場合には、Ｒｘ−Ｄｉｖ受信方法に切り替えることなく、シングル受信方法で受信処理をしてもよい。また、ＨＳＤＰＡ通信に限らず、ｅＮＢ２０１との通信において、通信品質を補償するためにＲｘ−Ｄｉｖ受信方式を用いていた場合についても、同様の制御により通信品質を低下させることなくハンドオーバ制御が可能となる。
【００８４】
つぎに、移動通信端末１００のアンテナ１０２、１０３においてデータの受信状態を示す模式図を用いて、各アンテナと各周波数の信号との関係を説明する。図８は、移動通信端末１００のアンテナ１０２、１０３においてデータの受信状態を示す模式図である。図８に示すとおり、ｅＮＢ２０１およびｅＮＢ２０２は、それぞれアンテナ２１４および２１５を備えている。
【００８５】
図８（ａ）は、ｅＮＢ２０１と移動通信端末１００とがＭＩＭＯ通信により通信をしているときの模式図である。図６におけるＳ１の処理に対応する模式図である。図８（ａ）に示すとおり、ｅＮＢ２０１と移動通信端末１００とは、ＭＩＭＯ通信により周波数ｆｘ１を用いてデータの受信を行っている。この場合、ｅＮＢ２０１のアンテナ２１４および２１５からの信号は、それぞれ移動通信端末１００のアンテナ１０２および１０３により受信されている。
【００８６】
図８（ｂ）は、ｅＮＢ２０１がＴｘ−Ｄｉｖ送信を行い、移動通信端末１００がシングル受信を行うときの模式図である。図６におけるＳ４ａおよびＳ５ａに対応する模式図である。図８（ｂ）に示すとおり、アンテナ２１４および２１５から送信されている周波数ｆｘ１の信号は、アンテナ１０２により受信される。
【００８７】
図８（ｃ）は、図８（ｂ）の状態に加えて、移動通信端末１００がセルサーチによりサーチされたｅＮＢ２０２からデータを受信するときの模式図である。図６におけるＳ９ａおよびＳ９ｂに対応する模式図である。図８（ｃ）に示すとおり、アンテナ１０２はｅＮＢ２０１からの周波数ｆｘ１の信号を受信し、アンテナ１０３は、ｅＮＢ２０２からの周波数ｆｘ２の信号を受信する。なお、送信信号が同じであれば、各基地局におけるアンテナは１本でもよい。
【００８８】
図８（ｄ）は、ｅＮＢ２０２と移動通信端末１００との間でＭＩＭＯ通信を行うときの模式図である。図６におけるＳ１４ａおよびＳ１５の処理に対応する模式図である。図８（ｄ）に示すように、移動通信端末１００の各アンテナ１０２および１０３は、ｅＮＢ２０２のアンテナ２１４および２１５からそれぞれ周波数ｆｘ２の信号を受信している。
【００８９】
つぎに、本実施形態の通信方法の作用効果について説明する。本実施形態の通信方法において、移動通信端末１００に備えられているアンテナ１０２およびアンテナ１０３を用いて一の基地局であるｅＮＢ２０１から信号を受信し、その信号受信中に、電力測定部１０９により受信電力が低下したことが判断されると、ＨＯ制御部１１０によりその旨がｅＮＢ２０１に通知され、ｅＮＢ２０１は、切替部２１１を用いてこの通知にしたがってその通信方法を送信ダイバーシチであるＴｘ−Ｄｉｖ送信方法による送信方法に切り替える。この際、ｅＮＢ２０１は、移動通信端末１００に受信方法をシングル受信方法に切り替えることを示す制御信号を送信し、移動通信端末１００はこの制御信号に従って、切替制御部１１１を用いてシングル受信方法に切り替える。
【００９０】
そして、ｅＮＢ２０１は、その切替にしたがって送信ダイバーシチ（Ｔｘ−Ｄｉｖ送信方法）による送信を行い、移動通信端末１００が、送信される信号を、アンテナ１０２のみを使用するシングル受信方法により受信する。そして、ｅＮＢ２０１からシングル受信方法により受信しつつ、移動通信端末１００は、アンテナ１０３を用いて、ＨＯ制御部１１０によりｅＮＢ２０２をサーチし、このｅＮＢ２０２との間で通信を行う。そして、移動通信端末１００は、ｅＮＢ２０１との通信回線の切断を行うとともに、サーチされたｅＮＢ２０２から信号受信を行う。これにより、ハンドオーバ元（ｅＮＢ２０１）からハンドオーバ先（ｅＮＢ２０２）にその接続先を切り替える際に、通信品質の低下による通信不良を低減することができる。
【００９１】
また、本実施形態における通信方法において、移動通信端末１００は、ｅＮＢ２０１からＭＩＭＯ（Multiple-Input Multiple-Output）を用いて信号受信を行う。また、移動通信端末１００は、受信ダイバーシチによる信号受信を行うようにしてもよい。
【００９２】
また、本実施形態における通信方法において、Ｓ９〜Ｓ１５の処理で示されているように、ｅＮＢ２０２が、移動通信端末１００に対して送信ダイバーシチ（Ｔｘ−Ｄｉｖ送信方法）による送信を行い、その後、ＭＩＭＯ通信へ移行できる状態になると、移動通信端末１００は、ｅＮＢ２０１との間の通信を切断し、ｅＮＢ２０２との間でのアンテナ１０３のみを用いたシングル受信方法からアンテナ１０２およびアンテナ１０３を用いたＭＩＭＯ受信方法に切り替えて、ｅＮＢ２０２から信号受信を行うことが好ましい。また、ＭＩＭＯ受信方法に代えて、受信ダイバーシチ（Ｒｘ−Ｄｉｖ受信方法）により受信してもよい。これに合わせて、ｅＮＢ２０２は、ＭＩＭＯ送信方法またはシングル送信方法に切り替えて送信することが好ましい。これにより、ハンドオーバ処理時において、通信品質の低下を招くことなく、移動通信端末１００において効率のよい受信処理を行うことができる。
【００９３】
また、本実施形態の通信方法において、移動通信端末１００は、サーチされたｅＮＢ２０２がＭＩＭＯに対応していない場合には、ｅＮＢ２０２はシングル送信方法による信号送信を行い、移動通信端末１００は、ｅＮＢ２０２との間でＲｘ−Ｄｉｖ受信方法により信号受信を行うことが好ましい。これにより、基地局の能力に適切に対応することができ、効率のよい通信を行うことができる。
【００９４】
また、本実施形態の通信方法において、移動通信端末１００は、サーチされたｅＮＢ２０２がＨＳＤＰＡに対応していない場合には、ｅＮＢ２０２はシングル送信方法による信号送信を行い、移動通信端末１００は、ｅＮＢ２０２との間でＲｘ−Ｄｉｖ受信方法により信号受信を行うことが好ましい。これにより、基地局の能力に適切に対応することができ、効率のよい通信を行うことができる。
【００９５】
また、本実施形態の通信方法において、移動通信端末１００が、Ｓ１４およびＳ１５の処理で示される通信後に、ｅＮＢ２０２からの受信信号の受信レベルが所定値以上であることを判断し、この判断に基づいて、ｅＮＢ２０２と移動通信端末１００との間でアンテナ１０２のみを用いたシングル受信方法による信号受信を行うことが好ましい。これにより、通信状況に応じた通信方法を適切に選択することができ、効率のよい通信を行うことができる。
【００９６】
また、本実施形態の通信方法において、ｅＮＢ２０１と移動通信端末１００との間で送受信される信号の周波数ｆｘ１と、ｅＮＢ２０２と移動通信端末１００とで送受信される信号の周波数ｆｘ２とは異なっている。これにより、通信効率を向上させることができる。
【００９７】
また、本実施形態の通信方法において、移動通信端末１００は、ｅＮＢ２０１から周波数ｆｘ１の信号を、ｅＮＢ２０２から周波数ｆｘ２の信号を受信する。それぞれ、ｅＮＢ２０１、ｅＮＢ２０２からそれぞれ重複しないように構成された信号が送信されるため、そのスループットを理想的には２倍に増加させることができる。
【００９８】
また、本実施形態の通信方法において、移動通信端末１００は、ｅＮＢ２０１から周波数ｆｘ１の信号を、ｅＮＢ２０２から周波数ｆｘ２の信号を受信する、いわゆる周波数ダイバーシチによる信号受信を行う。それぞれ、ｅＮＢ２０１、ｅＮＢ２０２からは同じ情報を含んだ信号が送信され、移動通信端末１００においては、それぞれ欠落している部分を補完して受信信号の合成処理を行う。よって、通信品質を向上させることができる。
【００９９】
また、上述の実施形態および変形例においては、ハンドオーバ前後はＭＩＭＯで通信し、ハンドオーバ中はそれぞれの基地局であるｅＮＢ２０１および２０２からそれぞれ異なる情報を受信するデュアル通信、またはハンドオーバ前後はＲｘ−Ｄｉｖでハンドオーバ中はそれぞれの基地局から同じ信号を受信する通信方法（周波数ダイバーシチ）を実行することを説明したが、これらに限定するものではなく、ハンドオーバ前後はＭＩＭＯにより通信し、ハンドオーバ中はそれぞれの基地局であるｅＮＢ２０１および２０２から同じ信号を受信する通信方法（周波数ダイバーシチ）、もしくはハンドオーバ前後はＲｘ−Ｄｉｖ、ハンドオーバ中はそれぞれの基地局であるｅＮＢ２０１および２０２から異なる情報を受信するデュアル通信としてもよい。
【図面の簡単な説明】
【０１００】
【図１】移動通信端末１００の概略ブロック構成図である。
【図２】移動通信端末１００のハードウェア構成図である。
【図３】ＭＩＭＯ通信状態においてハンドオーバ制御を行う移動通信端末１００の処理を示すフローチャートである。
【図４】移動通信端末１００とｅＮＢ２０１およびｅＮＢ２０２との通信状況の遷移を示す模式図である。
【図５】Ｒｘ−Ｄｉｖ受信状態においてハンドオーバ制御を行うときの移動通信端末１００の処理を示すフローチャートである。
【図６】ＭＩＭＯ通信状態において、ハンドオーバ元とハンドオーバ先とにおいて、使用する周波数をかえて通信を行う移動通信端末１００の処理を示すフローチャートである。
【図７】Ｒｘ−Ｄｉｖ受信状態において、ハンドオーバ元とハンドオーバ先とにおいて、使用する周波数をかえて通信を行う移動通信端末１００の処理を示すフローチャートである。
【図８】移動通信端末１００のアンテナ１０２、１０３においてデータの受信状態を示す模式図である。
【符号の説明】
【０１０１】
１００…移動通信端末、１０２…アンテナ、１０３…アンテナ、１０４…通信処理部、１０５…通信処理部、１０６…データ処理部、１０７…データ処理部、１０８…通信制御部、１０９…電力測定部、１１０…ＨＯ制御部、１１１…切替制御部、２０１、２０２…ｅＮＢ、２１１…切替部、２１２…通信処理部、２１３…通信処理部、２１４…アンテナ、２１５…アンテナ。
【図１】
2009141632.tif 000003
【図２】
2009141632.tif 000004
【図３】
2009141632.tif 000005
【図４】
2009141632.tif 000006
【図５】
2009141632.tif 000007
【図６】
2009141632.tif 000008
【図７】
2009141632.tif 000009
【図８】
2009141632.tif 000010